(57)【特許請求の範囲】
【請求項１】
海上設備に一端部が接続された状態で備えられ、荷役のために他端部が荷役先に接続されるフローティングホースの他端部を該海上設備に保持させるフローティングホース保持装置であって、
前記海上設備の近傍に他端部が位置する前記フローティングホースの他端部を引き揚げるホース引き揚げ装置と、該ホース引き揚げ装置によって引き揚げられた該フローティングホースの他端部を保持するホース端保持装置とを備えており、
前記ホース引き揚げ装置は、前記フローティングホースの他端部に設けられたフランジを引き揚げるワイヤが先端部から下方に吊り下げられるジブと、前記ワイヤを巻き上げることによって前記フランジを引き揚げる引き揚げ機と、前記海上設備に設けられて前記ジブを回動可能に支持するダビットとを有しており、
前記ホース端保持装置は、前記ジブの先端部の軌道上に設けられて前記ジブによって所定の位置に回動された前記フランジを保持するフランジ保持部を有するフランジ保持装置である
ことを特徴とするフローティングホース保持装置。
【請求項２】
前記海上設備は前記フローティングホースの洗浄用の容器を備え、前記ホース端保持装置は、該容器と前記フローティングホースの他端部とを接続する接続部を有することを特徴とする請求項１記載のフローティングホース保持装置。
【発明の詳細な説明】
【０００１】
【発明の属する技術分野】
本発明は、原油、ガス等を生産あるいは貯蔵する海上設備等における荷役用のフローティングホースを保持するフローティングホース保持装置に関する。
【０００２】
【従来の技術】
ＦＰＳＯ（浮体式生産貯蔵積み出し設備）やＦＳＲＵ（浮体式天然ガス貯蔵再ガス化設備）等の海上設備はフローティングホースを備え、液化天然ガスや液化プロパンガス、原油等を積載するタンカーとの間でこのフローティングホースによって荷役が行われる。従来フローティングホースは、使用しない時にはタンカー側の接続が解除されて、そのまま海上に浮かべられるか、あるいはフローティングホース全体が甲板上に引き揚げられる、などの取り扱いが一般的である。
【０００３】
【発明が解決しようとする課題】
しかしながら、フローティングホースをそのまま海上に浮かべておいたりすると、フローティングホース内に残っていた原油が流出したり、他船との衝突や荒天時の波浪による船体動揺などにより、フローティングホースが破損されたりしてしまい、フローティングホースが破損されると荷役時に原油やガスが流出するという問題がある。この問題を解決するためには、フローティングホース全体を甲板上に引き揚げればフローティングホースが上述のように破損される虞は小さいが、非常に長大であるフローティングホース全体を甲板上に引き揚げるには多大な労力がかかるだけでなく、甲板上に広い面積が必要となる。また、このフローティングホースを洗浄する作業は容易ではなく、廃液が設備外に流出する虞もあった。
【０００４】
本発明は、このような問題点に鑑みてなされたもので、大きなスペースを必要とせずにフローティングホースの破損および廃液の流出を防止するフローティングホース保持装置を提供することを目的とする。
【０００５】
【課題を解決するための手段】
上記課題を解決するために、請求項１にかかる発明は、海上設備に一端部が接続された状態で備えられ、荷役のために他端部が荷役先に接続されるフローティングホースの他端部を該海上設備に保持させるフローティングホース保持装置であって、前記海上設備の近傍に他端部が位置する前記フローティングホースの他端部を引き揚げるホース引き揚げ装置と、このホース引き揚げ装置によって引き揚げられたフローティングホースの他端部を保持するホース端保持装置とを備えており、前記ホース引き揚げ装置は、前記フローティングホースの他端部に設けられたフランジを引き揚げるワイヤが先端部から下方に吊り下げられるジブと、前記ワイヤを巻き上げることによって前記フランジを引き揚げる引き揚げ機と、前記海上設備に設けられて前記ジブを回動可能に支持するダビットとを有しており、前記ホース端保持装置は、前記ジブの先端部の軌道上に設けられて前記ジブによって所定の位置に回動された前記フランジを保持するフランジ保持部を有するフランジ保持装置であることを特徴としている。この発明にかかるフローティングホース保持装置は、フローティングホースの他端部を引き揚げて保持することにより、フローティングホースの破損を防ぐことができる。また、ジブを回動可能に設けることにより、ジブを海上設備に収納できるのでスペース効率がよく、ジブの破損を防止することができる。また、ジブの回動位置でフローティングホース端部のフランジを保持することにより、容易にフローティングホースを保持できるので、作業性のよいフローティングホース保持装置が実現される。
【０００６】
請求項２にかかる発明は、請求項１のフローティングホース保持装置において、海上設備はフローティングホースの洗浄用の容器を備え、ホース端保持装置は、容器とフローティングホースの他端部とを接続する接続部を有することを特徴としている。この発明にかかるフローティングホース保持装置では、一端部が海上設備に接続されているフローティングホースの他端部を海上設備の容器に接続することにより、フローティングホースがクローズドループとなるので、フローティングホース内に残った原油や廃液等を流出させないでフローティングホースを保持することができる。
【０００８】
【発明の実施の形態】
以下、本発明の実施形態について、図を参照して説明する。
図１に、本発明にかかるフローティングホース保持装置ＳとフローティングホースＨを備えた海上設備Ｂを示す。この海上設備Ｂは原油を生産、貯蔵していて、フローティングホースＨによってタンカーＴに積み出すことができる。荷役時には、フローティングホースＨの海上設備Ｂ側の端部は原油のタンクに接続され、タンカーＴ側の端部は甲板上のパイプに接続されている。荷役が終了すると、フローティングホースＨのタンカーＴ側の接続が解除され、解除されたフローティングホースＨの端部は、作業船等（図示せず）により海上設備Ｂまで曳航される。
【０００９】
図２にフローティングホース保持装置Ｓを示す。このフローティングホース保持装置Ｓは、上述のように曳航されてきたフローティングホースＨの端部をホース引き揚げ装置１０によってフローティングホースＨを海上設備Ｂに引き揚げ、フローティングホースＨのフランジＦをフランジ保持装置（ホース端保持装置）２０に保持させることができる。さらに、海上設備Ｂにはフローティングホース洗浄用タンク（容器）３０が備えられていて、フランジ保持装置２０はフローティングホースＨをこのフローティングホース洗浄用タンク３０に接続させることができる。
【００１０】
ホース引き揚げ装置１０は、フローティングホースダビット１１、ジブ１２、引き揚げ機１３を備えている。フローティングホースダビット１１は海上設備Ｂの甲板上に設けられた吊り柱であり、ジブ１２を回動自在に支持している。フローティングホースダビット１１に支持されたジブ１２には引き揚げ機１３のワイヤ（不図示）が配され、このワイヤはジブ１２の先端から下方に吊り下げられて引き揚げ機１３によって巻き上げることができる。また、ジブ１２は図２に示すように海上設備Ｂから突出するフローティングホース引き揚げ位置、海上設備Ｂ上に収められる収納位置、支持したフランジＦをフランジ保持装置２０に保持させるホース保持位置の各所定位置に回動されることができる。ジブ１２は収納位置に回動されることにより、他船との衝突などによる破損が防止されている。
【００１１】
図２及び図３にフランジ保持装置２０を示す。フランジ保持装置２０は、海上設備Ｂの舷側に設けられたプラットフォーム２１を備え、このプラットフォーム２１にはフローティングホースＨを保持可能なフランジ保持部２１ａが形成されている。フランジ保持部２１ａはフローティングホースＨの小径部分を通過させ、径の大きいフランジＦは通過させない幅で、回動されるジブ１２の先端部すなわちフローティングホースＨ（フランジＦ）の軌道に沿う溝状に形成されている。このフランジ保持部２１ａの周囲には、フランジＦをプラットフォーム２１に固定するフランジ固定装置２２が備えられている。さらにフランジ保持装置２０は固定配管（接続部）３１を備えている。この固定配管３１は、一端は海上設備Ｂに備えられたフローティングホース洗浄用タンク３０に接続されていて、他端にはフランジ保持装置２０によって保持されたフローティングホースＨのフランジＦを接続することができる。
【００１２】
フランジ固定装置２２は、図４に示すようにヒンジピン２２ｃによって回動可能に支柱２２ａに取り付けられたプレート２２ｂを回動させ、フランジＦをプラットフォーム２１に押しつけるようにして固定ピン２２ｄによってプレート２２ｂを固定する機構によって構成されている。このフランジ固定装置２２は、フランジＦの周囲に適当な間隔で（この例では７箇所）備えられている。
【００１３】
このフローティングホース保持装置Ｓによって、フローティングホースＨは以下のようにして海上設備Ｂに固定される。なお、フローティングホースＨの海上設備Ｂ側の端部は海上設備Ｂの原油タンクに接続されている。
タンカーＴから曳航されてきたフローティングホースＨの端部すなわちフランジＦに、フローティングホース引き揚げ位置に回動されたジブ１２から吊り下げられたワイヤが取り付けられ、このワイヤが引き揚げ機１３によって巻き上げられて、フローティングホースＨの端部（フランジＦ）がジブ１２の先端部に支持される。次に、フランジＦを支持したジブ１２がフローティングホース保持位置まで回動されて、フランジＦはプラットフォーム２１のフランジ保持部２１ａに嵌め込まれ、フランジ固定装置２２によってフランジＦがプラットフォーム２１に固定される。フランジＦ（フローティングホースＨ）がフランジ保持装置２０に保持されたら、フランジＦからワイヤを取り外されたジブ１２は収納位置へ回動される。
【００１４】
さらに、フランジ保持装置２０に保持されたフローティングホースＨは、図２及び図３に示すように、海上設備Ｂに設置された固定配管３１に、フレキシブルホース３２を介して接続される。この固定配管３１は、海上設備Ｂに備えられたフローティングホース洗浄用タンク３０に接続されていて、フローティングホースＨをフローティングホース洗浄用タンク３０に接続することにより、洗浄廃水を船外に流出させずにフローティングホースＨ内を洗浄することができる。また、フレキシブルホース３２と固定配管３１とが接続される部分の下方にはオイルトレイ３３が備えられ、この部分から洗浄廃液や原油を船外に流出するのを防ぐことができる。
【００１５】
以上のように、フローティングホース保持装置ＳによりフローティングホースＨの端部を海上設備Ｂに固定することにより、フローティングホースＨの破損を防止し、さらに固定したフローティングホースＨを固定配管３１によってフローティングホース洗浄用タンク３０に接続することにより、洗浄廃液の流出を防ぐことができる。
【００１６】
また、このフローティングホース保持装置ＳによってフローティングホースＨの端部を保持しながら、他端側から順にフローティングホースＨを海上設備Ｂに引き揚げて格納する装置を備えれば、より確実にフローティングホースＨの破損を防止することができる。
【００１７】
なお、前期実施形態において示した各構成部材の諸形状や組み合わせ等は一例であって、本発明の趣旨から逸脱しない範囲において設計要求等に基づき種々変更可能である。例えば、このフローティングホース保持装置は、前記実施形態で示した原油の貯蔵生産用海上設備の他にも、液化天然ガスや液化プロパンガス用の設備にも適用できる。また、容器はフローティングホース洗浄用タンク３０に限らず、種々適用できる。
【００１８】
【発明の効果】
以上説明したように、請求項１にかかるフローティングホース保持装置では、海上設備に備えられたフローティングホースの他端部を引き揚げて海上設備に保持することにより、他船との衝突や荒天時の波浪による船体動揺が発生しても、甲板上に広いスペースを必要とせずに、フローティングホースの破損および廃液の流出を容易に防止することができる。また、フランジを引き揚げるジブを海上設備に設けられたダビットに回動可能に設けることにより、スペース効率がよく、また海上設備に収納できるのでジブの破損を防止することができる。さらに、ジブの回動する軌道上でフローティングホースの他端部のフランジを保持するフランジ保持装置を備えることにより、作業スペースが小さく、容易にフローティングホースを保持できるので、作業性のよいフローティングホース保持装置が実現される。
【００１９】
請求項２にかかるフローティングホース保持装置では、一端部が海上設備に接続されているフローティングホースの他端部を、洗浄用の容器に接続することにより、フローティングホース内の洗浄が容易となり、フローティングホースがクローズドループとなるので、フローティングホース内に残った原油や洗浄廃水等を流出させないでフローティングホースを保持することができる。フローティングホースを接続する容器として、フローティングホース内を洗浄する洗浄装置に接続すれば洗浄時の廃液が流出しないので、効率よくフローティングホース内を洗浄することができる。
【図面の簡単な説明】
【図１】  本発明にかかるフローティングホース保持装置を備えた海上設備を示す上面図である。
【図２】  本発明にかかるフローティングホース保持装置を示す、図１のII部拡大図である。
【図３】  図２におけるIII-III線に沿う矢視図である。
【図４】  フランジ固定装置を示す図である。
【符号の説明】
１０  ホース引き揚げ装置
１１  フローティングホースダビット
１２  ジブ
１３  引き揚げ機
２０  フランジ保持装置（ホース端保持装置）
２１  プラットフォーム
２１ａ  フランジ保持部
２２  フランジ固定装置
２２ａ  支柱
２２ｂ  プレート
２２ｃ  ヒンジピン
２２ｄ  固定ピン
３０  フローティングホース洗浄用タンク（容器）
３１  固定配管（接続部）
３２  フレキシブルホース
３３  オイルトレイ
Ｂ  海上設備
Ｆ  フランジ
Ｈ  フローティングホース
Ｓ  フローティングホース保持装置
Ｔ  タンカー
【図１】
0004684432.tif 000002
【図２】
0004684432.tif 000003
【図３】
0004684432.tif 000004
【図４】
0004684432.tif 000005